(57)【要約】【課題】磁気粘着テープの提供。【解決手段】一種の磁気粘着テープ、主に磁気を帯びた軟性磁気片体または帯状を備える磁気基材片面の表側にて、第１グルー層を均一に塗布し、磁気基材の他面に第２グルー層を貼り付けて離型表面層を設け、第２グルー層の粘性を第１グルー層と離型表面層の粘性より強く設け、巻き上げるとき、第２グルー層で剥がされることなく、前記の第１グルー層により、適切な離型・隔離効果を形成する。この構造により、磁気基材を内向きにして巻き上げた後、リール状態で外面を外部に送り出すことが便利である。【選択図】図１
2007243022.tif 000002
【特許請求の範囲】
【請求項１】
磁気基材を設け、磁気吸着性を有するかとう性の薄い片体または帯状より構成し、
第１グルー層を磁気基材の片面に設け、
離型表面層を設け、薄い片体を磁気基材の他面に結合することを特徴とする一種の磁気粘着テープ。
【請求項２】
離型表面層と磁気基材との間は第２グルー層によって結合し、第２グルー層により、離型表面層と磁気基材との間の粘性は、離型表面層外面と第１グルー層との粘性より大きく設け、離型表面層は前記の第１グルー層に対して適切な離型隔離効果を提供し、磁気基材の第１グルー層を内向きにし、巻き上げて保存するほか、第１グルー層より剥がして、外部へ順次に送り出す構造であることを特徴とする請求項１記載の磁気粘着テープ。
【請求項３】
磁気基材の予定間隔に切り取り線を横方向に設けることを特徴とする請求項１または請求項２記載の磁気粘着テープ。
【請求項４】
切り取り線は、線型凹み縞構造であることを特徴とする請求項３記載の磁気粘着テープ。
【請求項５】
切り取り線は、線型にして配列した多数の細かい穿孔構造であることを特徴とする請求項３記載の磁気粘着テープ。
【請求項６】
切り取り線は、線型にして配列した多数の凹み点構造であることを特徴とする請求項３記載の磁気粘着テープ。
【請求項７】
離型表面層外側の表面は、文字または図案あるいは標識が印刷されている構造であることを特徴とする請求項１から請求項６いずれの項記載の磁気粘着テープ。
【請求項８】
外側の表面はさらに離型物層に結合する構造であることを特徴とする請求項１から請求項６いずれの項記載の磁気粘着テープ。
【請求項９】
外側の表面はさらに離型物層に結合する構造であることを特徴とする請求項７記載の磁気粘着テープ。
【発明の詳細な説明】
【技術分野】
【０００１】
本発明は磁石、特に一種の粘着テープ形式の磁石に関わるもので、主に表側に粘着性を有し、粘着物の表面へ簡単に粘着して、その磁気特性により物体を吸着する。
【背景技術】
【０００２】
通常、公知技術の磁気粘着テープの構造は、特許文献１「磁気粘着テープ構造」において、開示されている。主に極めて薄い片体または帯状の軟性磁化基材に、片方の表面に結合する離型剤層、および他面に貼り付けるグルー層より構成し、リール状態の巻き上げが便利である。リール状態の基材は、少なくともその片面は巻き上げ状態から徐々に送り出して、１枚ごとに物品の背面に粘着または吸着させ、他面の磁気吸着特性により、吸着可能な壁表面または板表面に吸着させる。しかしながら、この種の磁気粘着テープ構造の磁石は、酸化鉄などの微粒子素材より作られたため、使用期間中、表面素材から粒子が剥離する。また、この種の粉体粒子は離型剤の塗布困難な原因となり、生産コストと実行可能性に影響を与える。
【０００３】
本発明は前記した特許文献２「磁気粘着テープの構造およびその生産方法」において開示されとおり、高効果の離型剤と解質剤両方を軟質磁石素材に添加して、均一に攪拌した後、表面に離型効果を有する片体に仕上げる。さらに、その片体一端の表面に清浄化または粗面処理を施し、グルーを処理表面に塗布することにより、片体表面は剥がれにくくなり、粘着性を引き上げて、粘着テープの粘着性を向上している。この種の技術は、生産のときに離型剤表面層を新たに塗布するための手間とコストが掛からない。かつ、全体の離型効果の均一度が確保され、より頼もしいのである。しかしながら、前記の構造における片体の複雑な組成が生産コストに負担を掛かるほか、磁気特性に影響する恐れがある。仮に、磁気特性に影響がなくても、生産する前の開発段階で、その研究開発、テストコストが莫大である。このため、前記した従来式の片面粘着テープに比べて、経済効果が良いとは言えない。
【０００４】
【特許文献１】台湾特許公示第Ｍ２５３０４７号明細書
【特許文献２】台湾特許第９４１０８１０３号明細書
【発明の開示】
【発明が解決しようとする課題】
【０００５】
本発明の主な目的は、磁気粘着テープ表面の粉体粒子の剥離により、離型剤の塗布困難を有効に克服できる一種の磁気粘着テープを提供する。
【０００６】
本発明のさらなる一つの目的は、全体の組成成分を単純化することにより、研究、開発コストを有効に軽減するほか、全体の品質が安定に維持できる一種の磁気粘着テープを提供する。
【０００７】
本発明は前記の目的および効果を実現するための手段として、主に軟性の片体または帯状の磁気基材を設け、この磁気基材の片面にグルー層を塗布する。離型剤表面層を設け、第２グルー層を磁気基材の他面に貼り付けて、離型表面層と磁気基材との粘着性は離型剤表面層外側表面と第１グルー層の粘着性より優れる。離型表面層外側の表面は、前記の第１グルー層に対して適切な離型隔離効果を形成して、第２グルー層が離型剤表面層より離脱しにくい状態にし、磁気基材の第１グルー層を内向き状態で巻き上げて保存するとき、または巻き上げた後外側に送り出すときの利便性を提供する。
【課題を解決するための手段】
【０００８】
請求項１の発明は、磁気基材を設け、磁気吸着性を有するかとう性の薄い片体または帯状より構成し、
第１グルー層を磁気基材の片面に設け、
離型表面層を設け、薄い片体を磁気基材の他面に結合することを特徴とする一種の磁気粘着テープとしている。
請求項２の発明は、離型表面層と磁気基材との間は第２グルー層によって結合し、第２グルー層により、離型表面層と磁気基材との間の粘性は、離型表面層外面と第１グルー層との粘性より大きく設け、離型表面層は前記の第１グルー層に対して適切な離型隔離効果を提供し、磁気基材の第１グルー層を内向きにし、巻き上げて保存するほか、第１グルー層より剥がして、外部へ順次に送り出す構造であることを特徴とする請求項１記載の磁気粘着テープとしている。
請求項３の発明は、磁気基材の予定間隔に切り取り線を横方向に設けることを特徴とする請求項１または請求項２記載の磁気粘着テープとしている。
請求項４の発明は、切り取り線は、線型凹み縞構造であることを特徴とする請求項３記載の磁気粘着テープとしている。
請求項５の発明は、切り取り線は、線型にして配列した多数の細かい穿孔構造であることを特徴とする請求項３記載の磁気粘着テープとしている。
請求項６の発明は、切り取り線は、線型にして配列した多数の凹み点構造であることを特徴とする請求項３記載の磁気粘着テープとしている。
請求項７の発明は、離型表面層外側の表面は、文字または図案あるいは標識が印刷されている構造であることを特徴とする請求項１から請求項６いずれの項記載の磁気粘着テープとしている。
請求項８の発明は、外側の表面はさらに離型物層に結合する構造であることを特徴とする請求項１から請求項６いずれの項記載の磁気粘着テープとしている。
請求項９の発明は、外側の表面はさらに離型物層に結合する構造であることを特徴とする請求項７記載の磁気粘着テープとしている。
【発明の効果】
【０００９】
本発明は磁気粘着テープ、磁気粘着テープ表面の粉体粒子の剥離により、離型剤の塗布困難を有効に克服できる一種の磁気粘着テープを提供する。
【発明を実施するための最良の形態】
【００１０】
図１に示すものは、本発明の実施例１における構造分解図である。図２、３の組み合わせ図および全体の組み合わせ表示図と合わせて参照することにより、本発明の実施例１は主に、極めて柔軟な磁気基材１、第１グルー層２、離型表面層３および第２グルー層４より構成する。そのうち、磁気基材１は磁気吸着効果を有する軟性の片体または帯状を設け、第１グルー層２はこの磁気基材１の表面層に均一塗布し、第２グルー層４を磁気基材１の他面に塗布する。離型表面層３は第２グルー層４を介して磁気基材１に結合して、離型表面層３と磁気基材１との間の粘性は離型表面層３と第１グルー層２との粘性より大きく設ける。離型表面層３は前記の第１グルー層２に対して、適切な離型仕切り効果を形成する。磁気基材１は第２グルー層４が外向きにし、第１グルー層２を内向きにして巻き上げる。必要のとき、一番外面の第１グルー層２より剥がして使用できる。必要に応じて、離型表面層３外側の表面はさらに、文字または図案あるいは標識３１を印刷できる。その後に、離型物層３２を塗布(または貼り合わせる)することができる。
【００１１】
前記の磁気基材１はプラスチック、ゴム素材に磁可能な物質と混合して、片体に仕上げて、薄い片体を着磁させた後、両側面は生産工程で前記の第１グルー層２と第２グルー層４を塗布して、第２グルー層４は離型表面層３と強く接着した後、自動分条機を分条およびリール状態に巻き上げる。巻き上げのとき、第１グルー層２を内向きにし、離型表面層３を外向きにて、順次に巻き上げて、多層のリール状態に仕上げる。
【００１２】
本発明の磁気基材１の組成は、従来の構造と同じのため、品質が安定するほか、生産工程およびその加工方式も成熟化されている。よって、生産コストまたは製品品質とも一定のレベルに達している。そして、特許文献２「磁気粘着テープ構造およびその製造方法」にて開示された構造では、既存の成分を新たに離型剤と解質剤などの物質が添加されているため、製品の磁性強度または耐久性に影響する恐れがある。一方、添加された物質は材料コストを増加させるほか、研究開発に関わる研究、テストも研究開発コストが膨れ上がる。その経済効果には斟酌の余地がある。
【００１３】
使用するときは、離型表面層３の粘着性をちょうど第１グルー層２を隔離し、内外層を引き裂けるときに離型効果を発生する。リール状態は、磁気基材１の一番表面部は巻き上げ状態から外部に送り出すに相応しい。必要な長さで切断し、第１グルー層２により、目的物または定位置の平面に確実に粘着し貼り付ける。磁気基材１は離型表面層３の磁気吸着特性により、随時にその他吸着する、または吸着される物体もしくは平面に吸着できる。
【００１４】
図４に示すものは、本発明の実施例２の構造表示図である。磁気基材１上に適切な間隔を設けて切り取り線５を設け、切り取り線５は線型で配列した細長い穿孔(または凹み点)などを設けて、利用者が素手で磁気基材１を切断し、磁気基材１を寸断状態にして使用する。
【００１５】
図５、６に示すものは、本発明の実施例３それぞれの構造表示図および構造断面図である。この二つの図より、本発明の前記の離型表面層３０表面は緻密に平行して配列した線型凹み縞５０を設け、線型凹み縞５０は素手の引き裂けにより、切断される特性を有し、利用者はいつでも、必要な長さC場所より、素手で切断することができ、利用の便利性を提供する。
【図面の簡単な説明】
【００１６】
【図１】本発明の実施例１の構造分解図である。
【図２】本発明の実施例１の組み合わせ断面図である。
【図３】本発明の実施例１全体の組み合わせ表示図である。
【図４】本発明の実施例２の構造表示図である。
【図５】本発明の実施例３の構造表示図である。
【図６】本発明の実施例３の構造断面図である。
【符号の説明】
【００１７】
１  磁気基材
２  第１グルー層
３、３０  離型表面層
３１  文字図画
３２  離型物層
４  第２グルー層
５  切り取り線
５０  線型凹み縞
【図１】
2007243022.tif 000003
【図２】
2007243022.tif 000004
【図３】
2007243022.tif 000005
【図４】
2007243022.tif 000006
【図５】
2007243022.tif 000007
【図６】
2007243022.tif 000008